(57)【要約】  【課題】  後軸部材を大きくすることは実用的ではなく、上記の従来技術にあっては中駒を使用して係止部の再度の変形を防止しているが、中駒を中軸に装着して後軸のスリット部を嵌着する方法では、部材が増えてしまいコストアップになってしまう。  【解決手段】  軸本体内に複数の筆記体を有し、該筆記体は弾撥部材により後方に付勢されているが、筆記体の後方に取り付けられているスライダーを前進せしめ、該スライダーを軸本体内に係合させることにより、前記筆記体を軸本体から突出させるが如くなした多芯筆記具において、前記軸本体を前軸と後軸とより構成し、その後軸に前軸に設けた溝部に嵌り込み係合する太径部と、前軸の係合部に係合する細径部を形成した固定構造。【選択図】  図６
2006181794.tif 000002
【特許請求の範囲】
【請求項１】
軸本体内に複数の筆記体を有し、該筆記体は弾撥部材により後方に付勢されているが、筆記体の後方に取り付けられているスライダーを前進せしめ、該スライダーを軸本体内に係合させることにより、前記筆記体を軸本体から突出させるが如くなした多芯筆記具において、前記軸本体を前軸と後軸とより構成し、その後軸に前軸に設けた溝部に嵌り込み係合する太径部と、前軸の係合部に係合する細径部を形成したことを特徴とする固定構造。
【請求項２】
前記太径部と細径部の連接部分に凹部を形成し、その凹部に前記係合部を係合させたことを特徴とする請求項１記載の固定構造。
【請求項３】
前記前軸の内面に規制部を形成すると共に、その規制部の外縁部に貫通孔を形成し、その貫通孔の内形を前記係合部の内径側における高さよりも大きくしたことを特徴とする請求項１、或いは、請求項２に記載の固定構造。
【発明の詳細な説明】
【技術分野】
【０００１】
本発明は、先端に係合凹部を有する軸に関するものであり、例えば、ボールペンリフィルやシャープペンシルユニットが出没可能に配置された多芯筆記具などに使用される軸部材に関する。
【背景技術】
【０００２】
１例として、後軸の前端外周に係合突起が形成されて、後軸前方の縮径側の弾性変形によって係合突起が中軸の内孔に設けられた係合段部に係止して、後軸が中軸に固定される軸構造が知られており、また、そして、中軸の内孔に中駒を装着し、その中駒の胴部が後軸のスリット部に嵌着することによって後軸の縮径を防止する構造が知られている。
詳述すると、筆記体と連接した複数のノック部材の操作部を後軸後端部に至り設けたそれぞれの縦溝に突出させ、各ノック部材を軸先方に摺動させることにより選択的に筆記部を先軸の先端孔から突出係止させるようにしている。また、後軸の縦溝に連通して、ノック部材を摺動可能にガイドするスリット部が後軸の前端まで開口して設けており、更に後軸の前端外周に係合突起を形成している。そして、後軸先方の縮径側の弾性変形によって係合突起が中軸の内孔に設けられた係合段部に係止して、後軸が、その縦溝前方のスリット部を中軸に嵌装した状態で固定されてなる。
【０００３】
【特許文献１】特開２００１−１５０８７１号公報。
【発明の開示】
【発明が解決しようとする課題】
【０００４】
前記従来技術における、後軸前方の縮径側の弾性変形によって係合突起が中軸の内孔に設けられた係合段部に係止する方法では、後軸の係止部が縮径側に再度変形しないように後軸の弾性力を強固にする必要があり、必要以上に後軸部材を大きくする必要があった。
しかし、後軸部材を大きくすることは実用的ではなく、上記の従来技術にあっては中駒を使用して係止部の再度の変形を防止しているが、中駒を中軸に装着して後軸のスリット部を嵌着する方法では、部材が増えてしまいコストアップになってしまうという問題があった。
【課題を解決するための手段】
【０００５】
本発明は、軸本体内に複数の筆記体を有し、該筆記体は弾撥部材により後方に付勢されているが、筆記体の後方に取り付けられているスライダーを前進せしめ、該スライダーを軸本体内に係合させることにより、前記筆記体を軸本体から突出させるが如くなした多芯筆記具において、前記軸本体を前軸と後軸とより構成し、その後軸に前軸に設けた溝部に嵌り込み係合する太径部と、前軸の係合部に係合する細径部を形成したことを要旨とする。
【発明の効果】
【０００６】
本発明は、軸本体内に複数の筆記体を有し、該筆記体は弾撥部材により後方に付勢されているが、筆記体の後方に取り付けられているスライダーを前進せしめ、該スライダーを軸本体内に係合させることにより、前記筆記体を軸本体から突出させるが如くなした多芯筆記具において、前記軸本体を前軸と後軸とより構成し、その後軸に前軸に設けた溝部に嵌り込み係合する太径部と、前軸の係合部に係合する細径部を形成したので、後軸の縮径側への変形は太径部が抑制し、後軸の後方への抜けは細径脚部に設けた係合部が抑制する。その結果、安価な構成で後軸を前軸に強固に固定することができる。
【発明を実施するための最良の形態】
【０００７】
図１〜図６に示し説明する。３色のボールペンが摺動自在に配置されている多芯筆記具である。ボールペンばかりではなく、シャープペンシルなどであっても良い。参照符号１は、軸本体であり、その軸本体１は、前軸２と後軸３とより構成されている。また、本例において、前軸２は、先部材４と中軸５の螺合構造により構成されているが、一体的に形成されていても良い。
前記後軸３には、その長手方向に３個のスリット６が形成されている。本例においては、３個のスリット６が形成されているが、筆記体であるボールペンの数が３本であるためであり、この筆記体の本数によってスリットの形成する数も変わるものである。また、スリット６は、後軸３の一方の端部まで形成されていると共に、スリット６の両側には、摺動溝７が形成されている。しかし、この摺動溝７は、スリット６の両側の全長に渡って形成されているのではなく、中間部までしか形成されていない。前記後軸３の前方には脚部８が形成されている。この脚部８は、スリット６が形成されることにより形成される。よって、筆記体の数によって脚部８の数は変わる。また、脚部８は太径部８ａと細径部８ｂとから構成されており、その細径部８ｂの前端面には外側後方に向かって傾斜する傾斜面８ｃが形成されている。参照符号９は、後軸３の側面に形成されたクリップ部である。また、参照符号１０は各脚部８の上方に形成された縦リブであり、後軸３を中軸５に組み付けた細の、その後軸３と中軸５との振れを防止するためのリブとなっている。
【０００８】
前記後軸３のスリット６には、スライダー１１が摺動自在に配置されている。このスライダー１１の長手方向の両側には、摺動突起１２が形成されており、前記スリット６に形成された摺動溝７に摺動可能に係合している。このスライダー１１の背面には、間隔をおいて２つの解除突起１３、１４が形成されており、スライダー１１の前端部には、筆記体を接続する球状の接続部１５が形成されている。そして、この接続部１５には、ボールペンやシャープペンシルなどの筆記体１６が接続されている。参照符号１７は、筆記体１６並びに筆記体１６に接続するスライダー１１を後方に付勢するコイルスプリングなどの弾撥部材である。
【０００９】
前記前軸２の１部材である中軸５の中間部には、規制部１８が形成されており、その規制部１８には、筆記体１６が遊挿する３つの貫通孔１９と、規制部１８の外縁部付近に後述する溝部２０と同一直線上にほぼ四角形状の貫通孔１９ａが形成されている。この規制部１８に弾撥部材１７の一端を係止させることにより、筆記体１６を後方に付勢しているものである。また、中軸５の内側で、規制部１８の後方には、長手方向に３つの溝部２０が形成されており、この溝部２０に前記後軸の３の脚部８の太径部８ａが摺接され、組み立て時に脚部８が案内されるようになっている。この時、脚部８の細径部８ｂは前記溝部２０には摺接されない径となっている。即ち、細径部８ｂの外接円径は、太径部８ａの外接円径よりも小径なものとなっている。
前記３つの溝部２０の間であって、且つ、前記貫通孔１９ａの上方には、突起２１が形成されている。その突起２１の後部には、中心方向に向けて前方に傾斜する傾斜面が形成されている。前記後軸３を中軸５に組み付けた際、この突起２１に後軸３の細径部８ｂに設けた凹状の係合部３ａが係合するものである。この凹状の係合部３ａは、前記太径部８ａと細径部８ｂの連接部分に形成されている。この時、後軸３の脚部８の細径部８ｂは溝部２０に摺接されていないため、係合部３ａは突起２１を乗り越える際、前記細径部８ｂの傾斜面８ｃが突起２１の傾斜面２１ａに当接し、その細径部８ｂが傾斜面２１ａに沿って縮径側にたわみ、乗り越えた後は脚部８の弾性復元力によって元の位置へ戻り突起２１と係合する。つまり凹状の係合部３ａに突起２１が嵌り込み後軸３と前軸５が連結・固定されるのである。
尚、前記突起２１の内径側における高さは、貫通孔１９ａの内径を超えないものとなっている。即ち、前軸５を射出成形などの手段によって成形する際、前軸の前方中空部を形成するコアピンと後部中空部を形成するコアピンによって容易に成形し得るようにしているのである。ちなみに、突起２１の高さが貫通孔１９ａの内形を超えてしまうと、規制部１８と突起２１との間にアンダーカットが形成され、実質的に成形が不可能になってしまう。
【００１０】
前記前軸２の１部材である先部材４は、前記中軸５に対して螺合により着脱自在に固定されている。この先部材４と中軸５とを一体的に形成しても良いが、筆記体１６の交換や成形の容易性を考慮すると２部材とし、着脱自在に固定した方が良い。
【００１１】
次に動作について説明する。特定のスライダ−１１を前方（図中下方）に押圧すると、スライダ−１１は、スリット６並びに摺動溝７に案内されながら、筆記体１６を伴い前進し、筆記体１６の先端が軸本体１の先端より突出する。と、同時に、スライダ−１１が軸筒本体１の内側に押し込まれ、次いで、スライダ−１１の側面部に形成されている摺動突起１２の後端が、摺動溝７の前端部に係合し、筆記体１６の後退作用を阻止する。つまり、この摺動溝７をスリット６の中間部までしか形成しないことにより、スライダ−１１の係合をも兼ねるようになっている。次に、筆記体１６を軸本体１に収納したい場合には、他のスライダ−１１を押圧する。他のスライダ−１１を押圧すると、互いのスライダ−１１の背面に形成されている解除突起１３、１４が衝突する。この衝突作用により、押圧されている状態にあるスライダ−１１が軸筒本体１の外側方向に押圧される。そして、この押圧作用により、前記スライダ−１１の摺動突起と摺動溝７との係合が解除され、その解除作用により突出している状態にある筆記体１６が弾撥部材１７の作用により後退し軸本体１内に没入する。
【図面の簡単な説明】
【００１２】
【図１】本発明の１例を示す縦断面図
【図２】後軸を示す斜視図。
【図３】図１のＡ−Ａ線断面図。
【図４】図１のＢ−Ｂ線断面図。
【図５】図１のＣ−Ｃ線断面図。
【図６】後軸と中軸の係合過程を示す要部拡大縦断面図。
【符号の説明】
【００１３】
１      軸本体
２      前軸
３      後軸
３ａ    係合部
４      先部材
５      中軸
６      スリット
７      摺動溝
８      脚部
８ａ    太径部
８ｂ    細径部
９      クリップ部
１０    縦リブ
１１    スライダー
１２    摺動突起
１３    解除突起
１４    解除突起
１５    接続部
１６    筆記体
１７    弾撥部材
１８    規制部
１９    貫通孔
２０    溝部
２１    突起
【図１】
2006181794.tif 000003
【図２】
2006181794.tif 000004
【図３】
2006181794.tif 000005
【図４】
2006181794.tif 000006
【図５】
2006181794.tif 000007
【図６】
2006181794.tif 000008